(57)【要約】【課題】釣糸以外の釣り具に取り付ける係止具を有する釣り用重りを提供することである。【解決手段】釣り用重り１は、重り部２に一部が埋設された係止具３を有し、係止具３は金属線材で形成されて重り部２の中に埋設された屈曲した基部３ａと、重り部２の上部から突出してその先に屈曲状に折り返された取り付け部３ｃと、取り付け部３ｃの延長部３ｄの先端側に設けられた係止片３ｅと、重り部２の上部から突出した先に係止片３ｅが係合するリング状に屈曲された係合部３ｇとからなっていて、取り付け部３ｃの線材の方向ａに対して係止片３ｅの線材の方向ｂは交差するように形成され、係合部３ｇの線材の方向は取り付け部３ｃの線材の方向と平行に上下で対向配置されている。【選択図】    図５
2010172218.tif 000002
【特許請求の範囲】
【請求項１】
一部が埋設された係止具を有する釣り用重りにおいて、係止具は金属線材で形成されて屈曲状に折り返された取り付け部と、取り付け部の先端側に設けられた係止片と、係止片が係合する係合部を有することを特徴とする釣り用重り。
【請求項２】
取り付け部の線材の延長方向に対し係止片の先端が向かう方向が交差するように形成したことを特徴とする請求項１記載の釣り用重り。
【請求項３】
係止具は釣り用重りに埋設された部分に保持部が取り付けられて抜け止めされていることを特徴とする請求項１または２に記載の釣り用重り。
【発明の詳細な説明】
【技術分野】
【０００１】
本発明は、係止具を有する釣り用重りに関する。
【背景技術】
【０００２】
従来釣糸に取り付けるための係止線や係合体を有する錘が特許文献１、２で知られている。
特許文献１の錘に取り付けられた係止線の糸連結用屈曲部は、これに結んだ糸を前方へ強く引張ると、弾性変形して係止線を係止面から離脱させるべく前方へ変位させるようにしてあるので、根掛かりした仕掛けから容易に錘りを外せるようにしたもので特殊な目的以外には使用出来ない。
特許文献２の錘に取り付けられた係合体は釣り糸の任意な箇所に側方から着脱自在に挟着し得る挟圧部を有しているので、係合体は釣り糸を差し込む開口を有し、閉じることができず柔軟性を有する材料からなる釣り糸を挟着する以外には使用出来ない。
【特許文献１】実開昭５７−１８３７１号公報
【特許文献２】実開昭６４−４１２７８号公報
【発明の概要】
【発明が解決しようとする課題】
【０００３】
解決しようとする問題点は、特許文献１、２の構成は何れも仕掛けの釣糸に重りを係止する為の構造に関するもので、係合体が外れやすいことである。
【０００４】
本発明の目的は前記欠点に鑑み、確実に釣り具に取り付けることができ、また取り外しが容易な係止具を有する釣り用重りを提供することである。
【課題を解決するための手段】
【０００５】
本発明の請求項１は、一部が埋設された係止具を有する釣り用重りにおいて、係止具は金属線材で形成されて屈曲状に折り返された取り付け部と、取り付け部の先端側に設けられた係止片と、係止片が係合する係合部を有することを要旨とするものである。
本発明の請求項２は、取り付け部の線材の延長方向に対し係止片の先端が向かう方向が交差するように形成したことを要旨とするものである。
本発明の請求項３は、係止具は釣り用重りに埋設された部分に保持部が取り付けられて抜け止めされていることを要旨とするものである。
【発明の効果】
【０００６】
本発明の請求項により、釣り用重りの係止具は金属線材で形成されて取り付け部の線材の方向に対して係止片の線材の方向は交差するように形成され、係合部の線材の方向は取り付け部の線材の方向と平行に上下で対向配置されているので、リング状に屈曲された係合部と係止片が係合すると金属線材の弾性でその状態が維持されて容易に外れず、取り付け部が取り付けられる釣り具の止着部で延長部が押されると、係合部から係止片を容易に外すことが出来る。
【産業上の利用可能性】
【０００７】
本発明は釣り用重り全般に利用できる。
【図面の簡単な説明】
【０００８】
【図１】第１実施例で、釣り用重りの側面図である。
【図２】同釣り用重りの平面図である。
【図３】同釣り用重りの断面側面図である。
【図４】同図３のＦ４−Ｆ４断面線の断面図である。
【図５】同釣り用重りの他の側面図である。
【図６】同図１の釣り用重りの背面図である。
【図７】同釣り用重りが釣り具の餌木の板状の錘部に取り付けられた側面図である。
【図８】同図７の要部拡大側面図である。
【図９】同餌木の板状の錘部から釣り用重りを取り外す時の説明図である。
【図１０】同餌木に釣り用重りを取り付けてキャスティング時と釣竿をあおった時の釣り用重りの姿勢を説明する拡大側面図である。
【図１１】第２実施例で、釣り用重りの断面側面図である。
【図１２】第３実施例で、釣り用重りの断面側面図である。
【発明を実施するための最良の形態】
【０００９】
釣り用重り１は、重り部２に一部が埋設された係止具３を有し、重り部２は上部の外径が下部の外径より小さい円錐形に形成され、鉄、鉛、ステンレス、タングステン、タングステン合金等の金属、或は、金属粉末を混入するなどの手段で重くした合成樹脂等によって一体または複数の部材を張り合わせで形成されている。
係止具３は金属線材で形成されて重り部２の中に埋設され、折り返し状に屈曲した基部３ａと、重り部２の上部から突出した突出部３ｂと、その先に屈曲状に折り返された仕掛け等に取り付ける取り付け部３ｃと、取り付け部３ｃの延長部３ｄの先端側に設けられた係止片３ｅと、折り返し状の基部３ａを介して突出部３ｂと並設して重り部２の上部から突出した突出部３ｆの先に係止片３ｅが係合するリング状に屈曲された係合部３ｇとからなっている。
重り部２の中に埋設された基部３ａの線材はその周囲を囲んで取り付けた保持部（リベット）４で束ねて保持されると共に保持部４で基部３ａが重り部２から抜け止めされている。
図２のように前記取り付け部３ｃの線材の方向ａに対して係止片３ｅの線材の方向ｂは交差するように形成されている。
係合部３ｇの線材の方向は取り付け部３ｃの線材の方向と平行に上下で対向配置されている。
係止片３ｅは金属線材の弾性で係合部３ｇに係合するとその状態が維持され、係合部３ｇから係合を外すと図１の２点鎖線の状態となる。
【実施例１】
【００１０】
以下、図示の実施例によって本発明を説明すると、図１から図１０は第１実施例で図１は釣り用重りの側面図、図２は釣り用重りの平面図、図３は釣り用重りの断面側面図、図４は図３のＦ４−Ｆ４断面線の断面図、図５は釣り用重りの他の側面図、図６は図１の釣り用重りの背面図、図７は釣り用重りが釣り具の餌木の板状の錘部に取り付けられた側面図、図８は図７の要部拡大側面図、図９は餌木の板状の錘部から釣り用重りを取り外す時の説明図、図１０は餌木に釣り用重りを取り付けてキャスティング時と釣竿をあおった時の釣り用重りの姿勢を説明する拡大側面図である。
【００１１】
釣り用重り１は、重り部２に一部が埋設された係止具３を有し、重り部２は上部の外径が下部の外径より小さい円錐形に形成され、鉄、鉛、ステンレス、タングステン、タングステン合金等の金属、或は、金属粉末を混入するなどの手段で重くした合成樹脂等によって一体または複数の部材を張り合わせで形成されている。
係止具３は金属線材で形成されて重り部２の中に埋設され折り返し状に屈曲した基部３ａと、重り部２の上部から突出した突出部３ｂと、その先に屈曲状に折り返された仕掛け等に取り付けられる取り付け部３ｃと、取り付け部３ｃの延長部３ｄの先端側に設けられた係止片３ｅと、折り返し状の基部３ａを介して突出部３ｂと並設して重り部２の上部から突出した突出部３ｆの先に係止片３ｅが係合するリング状に屈曲された係合部３ｇとからなっている。
重り部２の中に埋設された基部３ａの線材はその周囲を囲んで取り付けた保持部（リベット）４で束ねて保持されると共に保持部４で基部３ａが重り部２から抜け止めされている。
図２のように釣り用重り１を上方から見たときに前記取り付け部３ｃの線材の方向ａに対して係止片３ｅの線材の方向ｂは交差するように形成されている。
係合部３ｇの線材の方向は取り付け部３ｃの線材の方向と平行に上下で対向配置され、係止片３ｅの線材の方向ｂにおける前方側に、係止片３ｅの先端に対向するように係合部３ｇの開口が形成されている。
係止片３ｅは係合部３ｇの開口に差し込まれて金属線材の弾性で係合部３ｇに係合するとその状態が維持され、係合部３ｇから係合を外すと図１の２点鎖線の状態となる。
【００１２】
釣り具としてイカ釣り用のルア−（疑似餌）に餌木（エギ）と呼ばれるものがある。
イカを掛ける部分は放射状に広がった笠針が用いられている。
釣り用重り１が図７、図８のように餌木５の板状の錘部６のリング状の止着部７に取り付けられるときは、釣り用重り１の係合部３ｇから係止片３ｅを外して取り付け部３ｃが止着部７に係合するように取り付けられる。
餌木５は合成樹脂で外形はイカ釣りに適したエビ、シャコ等を模した形状に形成されて餌木５の尾側に支柱８が固定されて支柱８に複数の笠針９が固定されている。
餌木５の前側には釣糸係止部１０が固定されて釣糸１１が取り付けられている。
餌木５の前方側の下方に水中の落下を促すための前記板状の錘部６が固定されて錘部６の先端に突出するようにリング状の止着部７が固定されている。
止着部７に釣り用重り１の取り付け部３ｃが取り付けられると、取り付け部３ｃは止着部７に移動自在に取り付けられているので、重り部２は前後左右に揺動自在となる。
止着部７から取り付け部３ｃを取り外すときは、図９のように釣り用重り１の重り部２がつまみ部となるためこれを一方の手の指で掴み、餌木５のボディ−を係合部３ｇに係合した係止片３ｅの線材の方向ｂの先端から後方側に向かう図示矢印の方向に回動（ひねる）させると、止着部７で延長部３ｄが押されて係合部３ｇから係止片３ｅが後退して容易に外すことが出来て餌木５から釣り用重り１を取り外すことが出来る。
【００１３】
釣り用重り１が取り付けられた餌木５がキャスティングされると、図１０（ａ）のように止着部７に係止具３の取り付け部３ｃが移動自在に取り付けられているので、釣り用重り１の重り部２の重心Ｇが垂直下方に移動されて餌木５が頭から水中に落下される。
キャスティングで重り部２と餌木５が真下に向かうので餌木５が頭から沈み易く、沈み動作が早く、沈み方向に姿勢を崩さずに沈んで行く。
餌木１が釣竿のあおりで引き上げられると、図１０（ｂ）のように餌木５の頭が上方に引き上げられていきなり浮き上げられ、あおり動作が終了するとその後図１０（ｃ）のように釣り用重り１の重り部２で餌木５の頭を下に引き下げられる。
【００１４】
頭が上方に引き上げられた時、係止具３の取り付け部３ｃと止着部７の係合位置を中心に釣り用重り１の重り部２は垂直下方に移動され、あおり動作が終了すると、重り部２が下方に向いているので敏速に重り部２の重さで餌木５は頭を下に引き下げられる。
この上下方向の浮き沈み動作は、沈む時重り部２が餌木５の本体から離れた位置の板状の錘部６の止着部７に下方に向けてぶら下がっているので急角度で展開される。
餌木５の浮き沈み動作が急角度で展開され餌木５の上向きと下向きがす早く変わると、イカを誘うので効果がある。
浮き沈み動作が急角度で展開されると、キャスティングから手元に引き寄せる間に幾回も上下動することになってイカを誘う機会が多くなる。
【００１５】
前記のように釣り用重り１が構成されていると、係止具３は金属線材で形成されて取り付け部３ｃの線材の方向ａに対して係止片３ｅの線材の方向ｂは交差するように形成され、係合部３ｇの線材の方向は取り付け部３ｃの線材の方向と平行に上下で対向配置されているので、リング状に屈曲された係合部３ｇと係止片３ｅが係合すると金属線材の弾性でその状態が維持されて容易に外れず、重り部２がつまみ部となるため容易に重り部２をしっかり保持でき、また回わすことができるため取り付け部３ｃが取り付けられる餌木５（釣り具）の止着部７で延長部３ｄが押されると、係合部３ｇから係止片３ｅを容易に外すことが出来る。
また、この時、係止具３はその基部３ａに保持部４が取り付けられているため係止具３が確実に重り部２に取り付けられる。
【００１６】
前記説明では餌木５の前方側の下方の板状の錘部６の先端に止着部７が固定されて係止具３の取り付け部３ｃが取り付けられたが、板状の錘部６に複数の貫通孔を穿設して貫通孔を選択して取り付け部３ｃを取り付けてもよい。
【実施例２】
【００１７】
図１１は第２実施例で図１１は釣り用重りの断面側面図である。
【００１８】
第２実施例の釣り用重り１′は、係止具３′は金属線材で形成されて重り部２の中に埋設された屈曲した基部３ａと、重り部２の上部から突出した突出部３ｂと、その先に屈曲状に折り返された取り付け部３ｃと、取り付け部３ｃの延長部３ｄの先端側に設けられた係止片３ｅと、重り部２の上部から突出した突出部３ｆの先に係止片３ｅが係合する屈曲された係合部３ｈと、係合部３ｈから突出部３ｂ側に延びて突出部３ｂに絡み付いた係止部３ｉからなっている。
重り部２の中に埋設された基部３ａの線材は保持部（リベット）４で束ねて保持されると共に保持部４で基部３ａが重り部２から抜け止めされている。
図示しないが図２のように前記取り付け部３ｃの線材の方向に対して係止片３ｅの線材の方向は交差するように形成されている。
係合部３ｈの線材の方向は取り付け部３ｃの線材の方向と平行に上下で対向配置されている。
係止片３ｅは金属線材の弾性で係合部３ｈに係合するとその状態が維持され、係合部３ｈから係合を外すと図１１の２点鎖線の状態となる。
他の構成は前記第１実施例と略同一である。
釣り用重り１′の使用例は前記第１実施例と略同一である。
【実施例３】
【００１９】
図１２は第３実施例で図１２は釣り用重りの断面側面図である。
【００２０】
第３実施例の釣り用重り１″は、係止具３″は金属線材で形成されて重り部２の中に埋設された屈曲した基部３ｊと、重り部２の上部から突出した突出部３ｆと、突出部３ｆの先に係止片３ｅが係合するリング状に屈曲された係合部ｇと、係合部ｇから大きくカ−ブした湾曲部３ｋと、湾曲部３ｋから取り付け部３ｃに向かう連結部３ｍとからなっている。
重り部２の中に埋設された基部３ｊの線材は保持部１２で抜け止めされている。
係合部３ｇの線材の方向は取り付け部３ｃの線材の方向と平行に上下で対向配置されている。
図示しないが図２のように前記取り付け部３ｃの線材の方向に対して係止片３ｅの線材の方向は交差するように形成されている。
係止片３ｅは金属線材の弾性で係合部３ｇに係合するとその状態が維持され、係合部３ｇから係合を外すと図１２の２点鎖線の状態となる。
他の構成は前記第１実施例と略同一である。
釣り用重り１″の使用例は前記第１実施例と略同一である。
【符号の説明】
【００２１】
１  釣り用重り
３、３′、３″  係止具
３ｃ  取り付け部
３ｅ  係止片
３ｇ、３ｈ  係合部
ａ  取り付け部の線材の延長方向
ｂ  係止片の先端が向かう方向
【図１】
2010172218.tif 000003
【図２】
2010172218.tif 000004
【図３】
2010172218.tif 000005
【図４】
2010172218.tif 000006
【図５】
2010172218.tif 000007
【図６】
2010172218.tif 000008
【図７】
2010172218.tif 000009
【図８】
2010172218.tif 000010
【図９】
2010172218.tif 000011
【図１０】
2010172218.tif 000012
【図１１】
2010172218.tif 000013
【図１２】
2010172218.tif 000014